【手続補正書】
【提出日】平成27年8月7日(2015.8.7)
【手続補正１】
【補正対象書類名】特許請求の範囲
【補正対象項目名】全文
【補正方法】変更
【補正の内容】
【特許請求の範囲】
【請求項１】
映像情報を記録再生する記録再生装置において、
被写体を撮像し、映像情報を生成する撮像部と、
前記撮像部により生成された前記映像情報を記録媒体に記録する記録部と、
前記撮像部により生成された前記映像情報に対して顔認識処理を実行する顔認識処理部と、
前記記録部により記録された前記映像情報を前記記録媒体から再生する再生部と、
制御部と、
を備え、
前記制御部は、
任意の人物を登録するための撮影を伴う登録モードにおいて、前記登録モードにおける撮影時に前記撮像部により生成された映像情報に対して前記顔認識処理部により顔認識処理を実行し、前記顔認識処理が実行された人物を第一の人物として登録する機能を有し、
通常の撮影時においては、前記撮像部により生成された映像情報に前記登録モードにおいて予め登録された第一の人物と登録されていない第二の人物とが含まれていた場合、前記登録された第一の人物の情報に基づいて、前記映像情報に含まれる複数の人物のうち前記第一の人物に対して焦点が合うように制御する制御モードを備え、
再生時においては、前記登録された第一の人物の情報に基づいて、前記撮像部により生成された映像情報に対して前記顔認識処理部により顔認識処理が実行され前記第一の人物を含むと通常の撮影時に認識され記録された、映像情報を、前記登録された第一の人物を含むと通常の撮影時に認識された結果の情報に基づいて、前記記録媒体から選択的に順次再生するように前記再生部を制御する制御モードを備える、
ことを特徴とする記録再生装置。
【請求項２】
請求項１に記載の記録再生装置において、
さらに、表示部を備え、
前記制御部は、前記表示部に表示される通常の撮影時の表示と前記登録モードにおける撮影時の表示とが異なる表示となるように制御することを特徴とする記録再生装置。
【請求項３】
請求項２に記載の記録再生装置において、
前記表示部は、前記登録モードにおける撮影時には、前記映像情報の表示と共に、前記登録モードにおける撮影であることが判別可能な文字情報を表示することを特徴とする記録再生装置。
【請求項４】
請求項２又は３に記載の記録再生装置において、
前記制御部は、前記登録モードの選択に応じて、前記撮像部により生成された映像情報を前記表示部に表示するように制御することを特徴とする記録再生装置。
【請求項５】
請求項１乃至４のいずれか１項に記載の記録再生装置において、
さらに、前記制御部は、前記映像情報に対して重要度を設定する機能を備え、
前記設定された重要度に応じて選択された映像情報を順次再生するように前記再生部を制御する制御モードを備えることを特徴とする記録再生装置。
【請求項６】
請求項１乃至５のいずれか１項に記載の記録再生装置において、
前記映像情報は動画であることを特徴とする記録再生装置。
【請求項７】
映像情報を記録再生する記録再生装置において、
被写体を撮像し、映像情報を生成する撮像部と、
前記撮像部により生成された前記映像情報を記録媒体に記録する記録部と、
前記撮像部により生成された前記映像情報に対して顔認識処理を実行する顔認識処理部と、
前記記録部により記録された前記映像情報を前記記録媒体から再生する再生部と、
制御部と、
を備え、
前記制御部は、
任意の人物を登録するための撮影を伴う登録モードにおいて、前記撮像部により生成されかつ前記記録部により記録される前の映像情報に対して前記顔認識処理部により顔認識処理が実行し、前記顔認識処理が実行された人物を第一の人物として登録する機能を有し、
撮影時においては、前記撮像部により生成された映像情報に前記登録モードにおいて予め登録された第一の人物と登録されていない第二の人物とが含まれていた場合、前記登録された第一の人物の情報に基づいて、前記映像情報に含まれる複数の人物のうち前記第一の人物に対して焦点が合うように制御する制御モードを備え、
再生時においては、前記登録された第一の人物の情報に基づいて、前記撮像部により生成されかつ前記記録部により記録される前の映像情報に対して前記顔認識処理部により顔認識処理が実行され前記第一の人物を含むと記録前に認識され記録された、映像情報を、前記登録された第一の人物を含むと記録前に認識された結果の情報に基づいて、前記記録媒体から選択的に順次再生するように前記再生部を制御する制御モードを備える、
ことを特徴とする記録再生装置。
【請求項８】
請求項７に記載の記録再生装置において、
さらに、表示部を備え、
前記制御部は、前記表示部に表示される通常の撮影時の表示と前記登録モードにおける撮影時の表示とが異なる表示となるように制御することを特徴とする記録再生装置。
【請求項９】
請求項８に記載の記録再生装置において、
前記表示部は、前記登録モードにおける撮影時には、前記映像情報の表示と共に、前記登録モードにおける撮影であることが判別可能な文字情報を表示することを特徴とする記録再生装置。
【請求項１０】
請求項８又は９に記載の記録再生装置において、
前記制御部は、前記登録モードの選択に応じて、前記撮像部により生成された映像情報を前記表示部に表示するように制御することを特徴とする記録再生装置。
【請求項１１】
請求項７乃至１０のいずれか１項に記載の記録再生装置において、
さらに、前記制御部は、前記映像情報に対して重要度を設定する機能を備え、
前記設定された重要度に応じて選択された映像情報を順次再生するように前記再生部を制御する制御モードを備えることを特徴とする記録再生装置。
【請求項１２】
請求項７乃至１１のいずれか１項に記載の記録再生装置において、
前記映像情報は動画であることを特徴とする記録再生装置。
【請求項１３】
映像情報を記録再生する記録再生装置において、
被写体を撮像し、映像情報を生成する撮像部と、
前記撮像部により生成された前記映像情報を記録媒体に記録する記録部と、
前記撮像部により生成された前記映像情報に対して顔認識処理を実行する顔認識処理部と、
前記記録部により記録された前記映像情報を前記記録媒体から再生する再生部と、
制御部と、
を備え、
前記制御部は、
任意の人物を登録するための撮影を伴う登録モードにおいて、前記登録モードにおける撮影時に前記撮像部により生成された映像情報に対して前記顔認識処理部により顔認識処理を実行し、前記顔認識処理が実行された人物を第一の人物として登録する機能を有し、
通常の撮影時においては、前記撮像部により生成された映像情報に前記登録モードにおいて予め登録された第一の人物と登録されていない第二の人物とが含まれていた場合、前記登録された第一の人物の情報に基づいて、前記映像情報に含まれる複数の人物のうち前記第一の人物に対して焦点が合うように制御する制御モードを備え、
再生時においては、前記登録された第一の人物の情報に基づいて、前記撮像部により生成された映像情報に対して前記顔認識処理部により顔認識処理が実行され前記第一の人物を含むと通常の撮影時に認識された認識情報と対応付けて記録された、映像情報を、前記認識情報に基づいて、前記記録媒体から選択的に順次再生するように前記再生部を制御する制御モードを備える、
ことを特徴とする記録再生装置。
【請求項１４】
請求項１３に記載の記録再生装置において、
さらに、表示部を備え、
前記制御部は、前記表示部に表示される通常の撮影時の表示と前記登録モードにおける撮影時の表示とが異なる表示となるように制御することを特徴とする記録再生装置。
【請求項１５】
請求項１４に記載の記録再生装置において、
前記表示部は、前記登録モードにおける撮影時には、前記映像情報の表示と共に、前記登録モードにおける撮影であることが判別可能な文字情報を表示することを特徴とする記録再生装置。
【請求項１６】
請求項１４又は１５に記載の記録再生装置において、
前記制御部は、前記登録モードの選択に応じて、前記撮像部により生成された映像情報を前記表示部に表示するように制御することを特徴とする記録再生装置。
【請求項１７】
請求項１３乃至１６のいずれか１項に記載の記録再生装置において、
さらに、前記制御部は、前記映像情報に対して重要度を設定する機能を備え、
前記設定された重要度に応じて選択された映像情報を順次再生するように前記再生部を制御する制御モードを備えることを特徴とする記録再生装置。
【請求項１８】
請求項１３乃至１７のいずれか１項に記載の記録再生装置において、
前記認識情報は、顔の表情又は顔の大きさに関する情報を含むことを特徴とする記録再生装置。
【請求項１９】
請求項１３乃至１８のいずれか１項に記載の記録再生装置において、
前記映像情報は動画であることを特徴とする記録再生装置。
【請求項２０】
映像情報を記録再生する記録再生装置において、
被写体を撮像し、映像情報を生成する撮像部と、
前記撮像部により生成された前記映像情報を記録媒体に記録する記録部と、
前記撮像部により生成された前記映像情報に対して顔認識処理を実行する顔認識処理部と、
前記記録部により記録された前記映像情報を前記記録媒体から再生する再生部と、
制御部と、
を備え、
前記制御部は、
任意の人物を登録するための撮影を伴う登録モードにおいて、前記撮像部により生成されかつ前記記録部により記録される前の映像情報に対して前記顔認識処理部により顔認識処理を実行し、前記顔認識処理が実行された人物を第一の人物として登録する機能を有し、
撮影時においては、前記撮像部により生成された映像情報に前記登録モードにおいて予め登録された第一の人物と登録されていない第二の人物とが含まれていた場合、前記登録された第一の人物の情報に基づいて、前記映像情報に含まれる複数の人物のうち前記第一の人物に対して焦点が合うように制御する制御モードを備え、
再生時においては、前記登録された第一の人物の情報に基づいて、前記撮像部により生成されかつ前記記録部により記録される前の映像情報に対して前記顔認識処理部により顔認識処理が実行され前記第一の人物を含むと記録前に認識された認識情報と対応付けて記録された、映像情報を、前記認識情報に基づいて、前記記録媒体から選択的に順次再生するように前記再生部を制御する制御モードを備える、
ことを特徴とする記録再生装置。
【請求項２１】
請求項２０に記載の記録再生装置において、
さらに、表示部を備え、
前記制御部は、前記表示部に表示される通常の撮影時の表示と前記登録モードにおける撮影時の表示とが異なる表示となるように制御することを特徴とする記録再生装置。
【請求項２２】
請求項２１に記載の記録再生装置において、
前記表示部は、前記登録モードにおける撮影時には、前記映像情報の表示と共に、前記登録モードにおける撮影であることが判別可能な文字情報を表示することを特徴とする記録再生装置。
【請求項２３】
請求項２１又は２２に記載の記録再生装置において、
前記制御部は、前記登録モードの選択に応じて、前記撮像部により生成された映像情報を前記表示部に表示するように制御することを特徴とする記録再生装置。
【請求項２４】
請求項２０乃至２３のいずれか１項に記載の記録再生装置において、
さらに、前記制御部は、前記映像情報に対して重要度を設定する機能を備え、
前記設定された重要度に応じて選択された映像情報を順次再生するように前記再生部を制御する制御モードを備えることを特徴とする記録再生装置。
【請求項２５】
請求項２０乃至２４のいずれか１項に記載の記録再生装置において、
前記認識情報は、顔の表情又は顔の大きさに関する情報を含むことを特徴とする記録再生装置。
【請求項２６】
請求項２０乃至２５のいずれか１項に記載の記録再生装置において、
前記映像情報は動画であることを特徴とする記録再生装置。
【請求項２７】
映像情報を記録再生する記録再生装置において、
被写体を撮像し、映像情報を生成する撮像部と、
前記撮像部により生成された前記映像情報を記録媒体に記録する記録部と、
前記撮像部により生成された前記映像情報に対して顔認識処理を実行する顔認識処理部と、
前記記録部により記録された前記映像情報を前記記録媒体から再生する再生部と、
制御部と、
を備え、
前記制御部は、
任意の人物を登録するための撮影を伴う登録モードにおいて、前記登録モードにおける撮影の際に前記撮像部により生成された映像情報に対して前記顔認識処理部により顔認識処理を実行し、前記顔認識処理が実行された人物を第一の人物として登録する機能を有し、
通常の撮影を行うための記録モード時においては、前記撮像部により生成された映像情報に前記登録モードにおいて予め登録された第一の人物と登録されていない第二の人物とが含まれていた場合、前記登録された第一の人物の情報に基づいて、前記映像情報に含まれる複数の人物のうち前記第一の人物に対して焦点が合うように制御する制御モードを備え、
記録された映像情報を再生するための再生モード時においては、前記登録された第一の人物の情報に基づいて、前記撮像部により生成された映像情報に対して前記顔認識処理部により顔認識処理が実行され前記第一の人物を含むと記録モード時に認識され記録された、映像情報を、前記登録された第一の人物を含むと記録モード時に認識された結果の情報に基づいて、前記記録媒体から選択的に順次再生するように前記再生部を制御する制御モードを備える、
ことを特徴とする記録再生装置。
【請求項２８】
請求項２７に記載の記録再生装置において、
さらに、表示部を備え、
前記制御部は、前記表示部に表示される記録モード時の表示と前記登録モードにおける撮影時の表示とが異なる表示となるように制御することを特徴とする記録再生装置。
【請求項２９】
請求項２８に記載の記録再生装置において、
前記表示部は、前記登録モードにおける撮影時には、前記映像情報の表示と共に、前記登録モードにおける撮影であることが判別可能な文字情報を表示することを特徴とする記録再生装置。
【請求項３０】
請求項２８又は２９に記載の記録再生装置において、
前記制御部は、前記登録モードの選択に応じて、前記撮像部により生成された映像情報を前記表示部に表示するように制御することを特徴とする記録再生装置。
【請求項３１】
請求項２７乃至３０のいずれか１項に記載の記録再生装置において、
さらに、前記制御部は、前記映像情報に対して重要度を設定する機能を備え、
前記設定された重要度に応じて選択された映像情報を順次再生するように前記再生部を制御する制御モードを備えることを特徴とする記録再生装置。
【請求項３２】
請求項２７乃至３１のいずれか１項に記載の記録再生装置であって、
前記映像情報は動画であることを特徴とする記録再生装置。
【請求項３３】
映像情報を記録再生する記録再生装置において、
被写体を撮像し、映像情報を生成する撮像部と、
前記撮像部により生成された前記映像情報を記録媒体に記録する記録部と、
前記撮像部により生成された前記映像情報に対して顔認識処理を実行する顔認識処理部と、
前記記録部により記録された前記映像情報を前記記録媒体から再生する再生部と、
制御部と、
を備え、
前記制御部は、
任意の人物を登録するための撮影を伴う登録モードにおいて、前記登録モードにおける撮影の際に前記撮像部により生成された映像情報に対して前記顔認識処理部により顔認識処理を実行し、前記顔認識処理が実行された人物を第一の人物として登録する機能を有し、
通常の撮影を行うための記録モード時においては、前記撮像部により生成された映像情報に前記登録モードにおいて予め登録された第一の人物と登録されていない第二の人物とが含まれていた場合、前記登録された第一の人物の情報に基づいて、前記映像情報に含まれる複数の人物のうち前記第一の人物に対して焦点が合うように制御する制御モードを備え、
記録された映像情報を再生するための再生モード時においては、前記登録された第一の人物の情報に基づいて、前記撮像部により生成された映像情報に対して前記顔認識処理部により顔認識処理が実行され前記第一の人物を含むと記録モード時に認識された認識情報と対応付けて記録された、映像情報を、前記認識情報に基づいて、前記記録媒体から選択的に順次再生するように前記再生部を制御する制御モードを備える、
ことを特徴とする記録再生装置。
【請求項３４】
請求項３３に記載の記録再生装置において、
さらに、表示部を備え、
前記制御部は、前記表示部に表示される記録モード時の表示と前記登録モードにおける撮影時の表示とが異なる表示となるように制御することを特徴とする記録再生装置。
【請求項３５】
請求項３４に記載の記録再生装置において、
前記表示部は、前記登録モードにおける撮影時には、前記映像情報の表示と共に、前記登録モードにおける撮影であることが判別可能な文字情報を表示することを特徴とする記録再生装置。
【請求項３６】
請求項３４又は３５に記載の記録再生装置において、
前記制御部は、前記登録モードの選択に応じて、前記撮像部により生成された映像情報を前記表示部に表示するように制御することを特徴とする記録再生装置。
【請求項３７】
請求項３３乃至３６のいずれか１項に記載の記録再生装置において、
さらに、前記制御部は、前記映像情報に対して重要度を設定する機能を備え、
前記設定された重要度に応じて選択された映像情報を順次再生するように前記再生部を制御する制御モードを備えることを特徴とする記録再生装置。
【請求項３８】
請求項３３乃至３７のいずれか１項に記載の記録再生装置において、
前記認識情報は、顔の表情又は顔の大きさに関する情報を含むことを特徴とする記録再生装置。
【請求項３９】
請求項３３乃至３８のいずれか１項に記載の記録再生装置において、
前記映像情報は動画であることを特徴とする記録再生装置。